(57)【要約】【課題】折り目線により複数のパネル、および複数パネルから延在する複数の連結フラップに分割されたフラットブランクから形成可能な代表例としてシガレット用の密封パケットに関する。【解決手段】ブランクの少なくとも二つの連続パネルに連結されたフラップは、Ｖ字形の切欠きによって、切欠きの先端で所定長の部分に沿って相互に連結されるように部分的に相互から分離し、かつブランクはヒートシール可能材料により少なくとも一部が被覆された少なくとも一つの面を有することを特徴とする。【選択図】図３
2009298482.tif 000002
【特許請求の範囲】
【請求項１】
折り目線（１７，１８）により複数のパネル（７’，２’，６’，３’，２３）、および前記パネルから延在する複数の連結フラップ（２８，２５，２７，２６，２９）に分割されたフラットブランク（１６）から形成可能な、代表例としてシガレット用の、密封パケットにおいて、
前記ブランク（１６）の少なくとも二つの連続パネルに連結されたフラップは、切欠き（２４）の先端で所定長の距離（Ｄ）に沿って相互に連結されるように、切欠き（２４）によって部分的に相互から分離し、かつ
前記ブランクはヒートシール可能材料により少なくとも一部が被覆された少なくとも一面を有することを特徴とする、密封パケット。
【請求項２】
ブランク（１６）の長軸（Ａ’）に平行の二つの長手方向の折り目線（１７，１８）、およびブランク（１６）の長軸（Ａ’）を横切る方向に設けられた複数の折り目線（１９，２０，２１，２２）により、ブランク（１６）の長軸（Ａ’）に沿って整列した複数のパネル（７’，２’，６’，３’，２３）に分割された実質的矩形形状のブランク（１６）から形成され、
前記パネル（７’，２’，６’，３’，２３）は、各々がパネルの対向端から延在しブランク（１６）の長軸（Ａ’）に対して対称的に配置された二つのフラップ（２８，２５，２７，２６，２９）と共に連結され、かつ
各フラップは、ブランク（１６）の長軸（Ａ’）に対して長手方向の折り目線（１７，１８）の外方で、隣接パネルのフラップに連結されている、請求項１の密封パケット。
【請求項３】
前記切欠き（２４）はＶ形であり、かつ切欠き（２４）の先端がブランク（１６）の長軸（Ａ’）に対して長手方向の折り目線（１７，１８）の外方に折り目線（１７，１８）から所定距離（Ｄ）を置いて位置する、請求項１または２の密封パケット。
【請求項４】
前記ブランク（１６）は、前記パケットからのシガレット等の取出しを可能にする開口（１３）を形成するような、Ｕ字形のミシン目線または切欠き（８）を有する、請求項１から３のいずれか一の密封パケット。
【請求項５】
前記ブランク（１６）は厚紙または板紙で形成されている、請求項１から４のいずれか一の密封パケット。
【請求項６】
前記ブランク（１６）の少なくとも一面は、二つの連続パネルに連結されているフラップを相互に結合する領域の少なくとも上および周りでヒートシール可能材料により被覆されている、請求項１から５のいずれか一の密封パケット。
【発明の詳細な説明】
【技術分野】
【０００１】
本発明は、例えばシガレット用の密封パケット(packet)に関する。
【背景技術】
【０００２】
従来技術として、ヒートシール可能かつ空気および湿気に対する高不透過性のソフト熱可塑性材料により形成された概ね平行六面体の外観の密封型シガレットパケットは存在する。
【０００３】
かかるパケットは、矩形外形の紙葉(leaves)を利用し、かつ次に簡単に説明する既知方法を採用してシガレットパッカー(packer=包装機)上に製造される。
【０００４】
第一に、各紙葉は、側−側配置された一群のシガレットの周りに、シガレットの軸に平行の軸上で整列した管状鞘を形成するように、ラップ（wrapped=包装）される。
【０００５】
この第一工程は一連の折畳み工程に続く。折畳み工程では管状鞘の突出した二端がシガレット群の対向端面に対して偏平化される。
【０００６】
折畳んだ包装紙(wrapper)の一側面は、次に、長手方向の閉鎖を有効にするために、封止手段と係合し、その後に対向端面がパケットを完全に閉鎖するために同様に封止される。
【０００７】
形成されたパケットは、包装紙の種々の連結部が、対応する面の相対的に大きい領域上に相互に溶接された複数の重合材料層で構成するので、確実な密封シール(seal)を形成する。
【０００８】
完成した包装紙は、通常、端面の一つに近い内側に設けられた従来タイプの引裂きリボンを具備し、引裂きリボンは引きタブを有しかつパケットを破って開く操作を促進するように設計される。
【０００９】
従来設計のフソトパケットと比較すると、上記タイプのパック(pack)は、単に密閉の利点のみならず、金属フォイル紙の内包装紙と紙材料による外包装紙で構成するのでなく単一包装紙で構成される場合に、コスト有利である。
【００１０】
従来技術による他のパケット例として、上述の密封パックは、折り線から複数のパネルおよび側フラップへ分割される一般的タイプのフラットブランクから形成され、一連の折畳み工程を経て立体化されてパケットに形成される、例えば蝶番式蓋を備えたタイプ、の硬質パケット内へ挿入される。
【００１１】
この解決策は、先に記載のパケットよりも経済的条件において、明らかに有利でない。
【００１２】
更に、強度および視覚的質の理由で、シガレットパケットを製造するのに最適の剛性または半剛性厚紙(cardboard)によるダイカット(diecut)ブランクは、密封シール(seal)を有すパケットが要求される場合に、単一ラッピング要素としての使用に適さない。
【００１３】
従来、実際には、上述タイプの剛性ダイカットブランクから形成されたパケットは、特に下端面と上端面を画定するコーナー縁の端に臨界点を有し、空気および湿気はそこから侵入する。このような臨界点は接着剤が塗布されず、単にパネルの縁とフラップを相互に対して直角に折り曲げることにより合致される。
【先行技術文献】
【特許文献】
【００１４】
【特許文献１】特記なし
【発明の概要】
【発明が解決しようとする課題】
【００１５】
本発明の課題は、上述の材料によるダイカットブランクを使用する従来タイプのパケットよりも経済的に製造できる厚紙または板紙によるブランクから形成され、かつ密封シールを有するシガレットパケットを提供することにある。
【課題を解決するための手段】
【００１６】
上記課題は、請求項に記載の本発明によるシガレットパケットにより解決される。
【００１７】
具体的には、本発明は、折り目線により複数のパネル、および前記パネルから延在する複数の連結フラップに分割されたフラットブランクから形成可能な、代表例としてシガレット用の、密封パケットを提供し、本発明による密封パケットにおいて、前記ブランクの少なくとも二つの連続パネルに連結されたフラップは、切欠きの先端で所定長の部分に沿って相互に連結されるように、切欠きによって部分的に相互から分離し、かつ前記ブランクはヒートシール可能材料により少なくとも一部が被覆された少なくとも一面を有することを特徴とする。
【００１８】
好適には、本発明による密封パケットは、前記ブランクの長軸に平行の二つの長手方向の折り目線、および前記ブランクの長軸を横切る方向に設けられた複数の折り目線により、ブランクの長軸に沿って整列した複数のパネルに分割された実質的矩形形状のブランクから形成され、前記パネルは、各々がパネルの対向端から延在しブランクの長軸に対して対称的に配置された二つのフラップと共に連結され、かつ各フラップは、ブランクの長軸に対して長手方向の折り目線の外方で、隣接パネルのフラップに連結されている。
【００１９】
好適には、前記切欠きはＶ形であり、かつ切欠きの先端がブランクの長軸に対して長手方向の折り目線の外方に折り目線から所定距離を置いて位置する。
【００２０】
好適には、前記ブランクは、前記パケットからのシガレット等の取出しを可能にする開口を形成するような、Ｕ字形のミシン目線または切欠きを有する。
【００２１】
好適には、前記ブランクは厚紙または板紙で形成されている。
【００２２】
好適には、前記ブランクの少なくとも一面は、二つの連続パネルに連結されているフラップを相互に結合する領域の少なくとも上および周りでヒートシール可能材料により被覆されている。
【図面の簡単な説明】
【００２３】
【図１】本発明によるシガレットパケットの閉鎖位置における斜視図である。
【図２】本発明によるシガレットパケットの開放位置における斜視図である。
【図３】図１および２のシガレットパケットを形成するブランクの平面図である。
【図４】図１の拡大詳細図を示す。
【図５】図３の拡大詳細図を示す。
【発明を実施するための形態】
【００２４】
図１および２を参照すると、参照番号１はパケットの全体を示し、パケット１は側−側並置されかつパケット１の長軸Ａに平行に設置されたシガレットＳを含む。
【００２５】
厚紙または板紙(paperboard)で形成されたパケット１は、実質的平行六面体の外観を有し、四側壁を有する矩形断面に形成され、かつ更に精確には、前壁２、前壁２に平行に形成される後壁または背面３、二つの側壁またはフランク４および５、上壁または頂面６、および下壁または底面７を有する。
【００２６】
パケット１の頂部は、実質的Ｕ字形のミシン目線または切欠き８を有し、前壁２を占領する湾曲した中央部９、および湾曲した中央部９の対向端から前壁２、頂面６、および背面３の最上部を横切る二つの平行部１０を含む。
【００２７】
二つの平行部１０の自由端は、背面３上に位置し、それぞれカール１１を形成するように相互方向へ向かって湾曲する（図３参照）。
【００２８】
Ｕ形ミシン目線８は、閉鎖部、もしくは舌部１２を画定し、シガレットＳをパケットから取り出す開口１３に対応する。パケット１の使用時に、舌部１２はミシン目線８に沿って適合する縁の相互係合により、または従来タイプの他の手段を採用して（図示せず）、閉鎖位置に保持される。
【００２９】
図３を参照すると、パケット１は、全体が参照番号１６で示された厚紙または板紙材によるフラットかつ実質的矩形のダイカットブランクから形成される。
【００３０】
ブランク１６の所定構成要素は、パケット１の対応する部に使用された同一参照番号で示されている。
【００３１】
ブランク１６は、長軸Ａ’を基準に説明すると、パケット１の外面を提供する少なくとも一つの面を有し、不透過性かつヒートシール可能材料により少なくとも一部が被覆され、長軸Ａ’の両側に対称的に二つの長手折り目線１７および１８が刻まれ、かつ頂面から底面にわたって長軸を横切る方向に四つの折り目線１９、２０、２１、２２が形成されている。
【００３２】
ブランク１６は、長軸Ａ’上に整列された五つのパネル７’、２’、６’、３’、２３に上述の長手方向および横切る方向の折り目線により分割されている。各パネルは対向端で側フラップを有する。更に精確には、各側フラップは、ブランクの両側で隣接する側フラップから実質的Ｖ形の切欠きにより分離し、切欠きの先端は長軸Ａ’に向かっている。
【００３３】
四つのパネル７’、２’、６’、３’はそれぞれパネルの底面７、前壁２、頂面６、および背面３に対応する。
【００３４】
第五パネル２３は、横切る方向の折り目線２２に沿って隣接するパネル３に連結されていて、パケット起立時に背面３および底面７を連結する要素を提供する。
【００３５】
パネル２’に連結されているフラップ２５は、パネル３’に連結されているフラップ２６に重合して接合され、パケット１の二つのフランク４および５を提供するために結合される。
【００３６】
パネル６’に連結されている二つのフラップ２７は、頂面６をフランク４および５に連結する要素を提供する。
【００３７】
パネル７’に連結されている二つのフラップ２８、およびパネル２３に連結されている二つのフラップ２９は、底面７をフランク４および５に連結する要素を提供する。
【００３８】
ブランク１６は、中央領域に位置し上述の閉鎖舌部１２を形成する上方へ回転するＵ形形状のミシン目線８’を有する。
【００３９】
隣接する側フラップを分離する切欠き２４の先端は、従来設計のブランクにより提供される同様切欠きと相違し、長手方向の折り目線１７および１８と交差することなく長軸Ａ’に対して折り目線１７および１８から外方へ所定距離Ｄを置いて位置決めされる（特に図５参照）。ブランク１６は、少なくとも一部でヒートシール可能材料により被覆され、この被覆は切欠き２４の先端の周りの領域に付与される。
【００４０】
特に、図４および５を参照すると、理解されるように、ブランク１６に採用される特別の形状により、シガレットパッカーに利用される折畳み手段の運動は、パケット１の長手方向のコーナー縁および長手を横切る方向のコーナー縁が相互に合致する点でラッピング材料を挟んで折畳み(pinched folds)を形成する。
【００４１】
パケット１のコーナー縁が収斂する点に形成される挟んだ折畳み内およびその周りにヒートシール手段の媒体を介してヒートシール可能材料層が溶融されるときに、結果として、パケット１の密封による空気密および湿気密を保証する封止剤プラグ３０が形成される。
【００４２】
従って、本発明により、厚紙または板紙によるフラットブランクを、いずれかの種類の製品、特にシガレット、を保持するようなパケットに形成可能であり、従来パケット例と比較して明らかにコスト有利な単一包装紙として結果的に利用可能な密封包装を提供する。
【符号の説明】
【００４３】
１    パケット
１６    ブランク
２４    切欠き
【図１】
2009298482.tif 000003
【図２】
2009298482.tif 000004
【図３】
2009298482.tif 000005
【図４】
2009298482.tif 000006
【図５】
2009298482.tif 000007